(57)【要約】【課題】  業務用では身体を頻繁に活動させて、立ったり座ったり、重量の有るものを持ったり、身辺に危険な装置や道具が有ったりするするため、エプロンが確りと身体に装着できるものが求められていた。【解決手段】  業務用のエプロン１であって、胸当て部２と、腰当て部３と、一対の足当て部４と、胸当て部２の上方辺の両側辺に挿通用孔２ａを穿設し両端を挿通結着させた首用装着紐５と、腰当て部３の両側に腰部後方で結着する腰用結着紐６と、一対の足当て部４の両側に間隔を有して延設した４組の足用結着紐７とから成り、４組の足用結着紐７は、大腿部の上方の後方で結着する大腿部上方用結着紐７ａと、大腿部の下方の後方で結着する大腿部下方用結着紐７ｂと、膝部直下の後方で結着する膝部直下用結着紐７ｃと、足首の後方で結着する足首用結着紐７ｄと、を備えたものである。【選択図】図１
0003152148.tif 000002
【実用新案登録請求の範囲】
【請求項１】
厚手の生地で逢着した業務用のエプロンであって、人体の首下から腰部にかけての前側に装着する略台形に形成した胸当て部と、該胸当て部の下辺から延設し腰部から大腿部上方の身体の前方半分を覆う腰当て部と、該腰当て部の下辺から延設し両足の大腿部上方から足首にかけての夫々の前方半分を夫々覆う一対の足当て部と、前記胸当て部の上方辺の両側辺に挿通用孔を穿設し両端を挿通結着させて首の後方を回して装着するための首用装着紐と、前記腰当て部の両側に腰部後方で結着するために延設した腰用結着紐と、前記一対の足当て部の夫々両側に夫々間隔を有して延設した４組の足用結着紐とから成り、前記４組の足用結着紐は、大腿部の上方の後方で結着するための大腿部上方用結着紐と、大腿部の下方の後方で結着するための大腿部下方用結着紐と、膝部直下の後方で結着するための膝部直下用結着紐と、足首の後方で結着するための足首用結着紐と、を備えたことを特徴とする業務用エプロン。
【考案の詳細な説明】
【技術分野】
【０００１】  本考案は、業務用エプロンに関するものであり、更に詳細には、危険を伴う、雑草等の苅払い機を用いた草刈り作業や、チェーンソーを用いた木の伐採等の農林作業、建造物や大型施設等へのペンキ、さび止め等の塗装作業、壁塗り作業等土木建築作業、大型の工作機械等を用いた金属や木材等の加工作業等の作業服の汚れ防止に好適な業務用のエプロンに関するものである。
【背景技術】
【０００２】  従来、エプロンは主にご婦人が家庭で料理をする時に、油や汁の飛散で洋服が汚れるのを防ぐために装着しているが、料理の場合は活発に身体を動かす必要が無く、前方からの飛散を防ぐのみで良かったが、業務用では身体を頻繁に活動させて、立ったり座ったり、重量の有るものを持ったり、身辺に危険な装置や道具が有ったりするするため、エプロンが確りと身体に装着できるものが求められていた。【０００３】  その為に、先に開示されている、例えば、少なくとも腰から両足首にかけた作業者の前部分を覆う下半身当て部２００を有し、下半身当て部２００は、矩形状の布の一角をほぼ直角に削落した、左右対称の２枚の原布地２０１，２０２の、削落した端縁部分２０３，２０４を互いに縫製してなるもの（特許文献１参照）や、布、ビニール等の適宜な素材によって形成された胸当て部２と腹当て部３と脚当て部４とを有しているエプロン１であって、前記脚当て部の下端の中央から腹当て部の下部付近に亘って垂直に切断された切断部７を形成するとともに、この切断部によって前記脚当て部が二つに分割して形成されたもの（特許文献２参照）や、下側の着衣の少なくとも前面部分を被覆する前掛け１であって、下部が二股に分離されて形成される左及び右脚被覆部２１、２２を有する本体２と、本体２の上縁２ａに取り付けられ長さが調節可能な吊り部材３と、本体２の長さ方向の中間部の両側縁２ｂを係脱可能に連結する腰部連結部材７４と、左及び右脚被覆部２１、２２の両側縁２１ａ、２２ａをそれぞれに係脱可能に連結する脚部連結部材５とを具備してなるもの（特許文献３参照）等が開示されている。
【特許文献１】特開２００６−２６５７５２号公報
【特許文献２】特開２００２−６９７１９号公報
【特許文献３】登録実用新案第３０６１１２３号公報
【考案の開示】
【考案が解決しようとする課題】
【０００４】  然し乍ら、前述の開示されている特許文献１〜３は、夫々両足を覆うようにエプロンの下方の足当て部位に割れ目を設けているものであるが、特許文献１のものは、陶芸作業に好適なもので、陶芸は開脚して座った状態で行うものであるが、活発に活動するものでなく、そのため、開脚した状態で両足の上及び前方を覆っているものであり、また、特許文献２でも、切断部７を有して両足を別々に覆うように形成されているものであるが、両足の前方を夫々覆うだけのもので、危険な作業が伴う業務においては、足当て部が足部から離脱したり、下辺がヒラヒラとしたりするために、引っ掛かったり巻き込まれたりする可能性があり、更に、特許文献３では、脚部連結部材５が備えているものであるが、膝より下方は止めの手段が無く、ヒラヒラとして引っ掛かったり巻き込まれたりして危険性を有するものである。
【課題を解決するための手段】
【０００５】  本考案は前記課題に鑑み、鋭意研鑽の結果、これらの課題を解決するもので、厚手の生地で逢着した業務用のエプロンであって、人体の首下から腰部にかけての前側に装着する略台形に形成した胸当て部と、胸当て部の下辺から延設し腰部から大腿部上方の身体の前方半分を覆う腰当て部と、腰当て部の下辺から延設し両足の大腿部上方から足首にかけての夫々の前方半分を覆う一対の足当て部と、胸当て部の上方辺の両側辺に挿通用孔を穿設し両端を挿通結着させて首の後方を回して装着するための首用装着紐と、腰当て部の両側に腰部後方で結着するために延設した腰用結着紐と、一対の足当て部の両側に間隔を有して延設した４組の足用結着紐とから成り、４組の足用結着紐は、大腿部の上方の後方で結着するための大腿部上方用結着紐と、大腿部の下方の後方で結着するための大腿部下方用結着紐と、膝部直下の後方で結着するための膝部直下用結着紐と、足首の後方で結着するための足首用結着紐と、を備えたものである。
【考案の効果】
【０００６】  前述の如く構成した本考案の業務用エプロンは、一対の足当て部を設けたことと、夫々足当て部の両側に夫々間隔を有して延設した４組の足用結着紐を設け、４組の足用結着紐を上方から、大腿部の上方の後方で結着するための大腿部上方用結着紐と、大腿部の下方の後方で結着するための大腿部下方用結着紐と、膝部直下の後方で結着するための膝部直下用結着紐と、足首の後方で結着するための足首用結着紐とを備えたことにより、一対の足当て部が両足の大腿部、膝関節、下腿部、足首まで確りと結着させることを可能とし、危険を伴う作業においても、引っ掛かったり巻き込まれたりすることが皆無となるものである。
【考案を実施するための最良の形態】
【０００７】  以下、本考案の業務用エプロンの実施の形態を図面によって具体的に説明すると、図１は本考案の業務用エプロンの実施例の展開状態の平面図である。【０００８】  本考案は、業務用エプロンに関するものであり、更に詳細には、危険を伴う、雑草等の苅払い機を用いた草刈り作業や、チェーンソーを用いた木の伐採等の農林作業、建造物や大型施設等へのペンキ、さび止め等の塗装作業、壁塗り作業等土木建築作業、大型の工作機械等を用いた金属や木材等の加工作業等の作業服の汚れ防止に好適な業務用のエプロンに関するものであり、厚手の生地で逢着した業務用のエプロン１であって、人体の首下から腰部にかけての前側に装着する略台形に形成した胸当て部２と、該胸当て部２の下辺から延設し腰部から大腿部上方の身体の前方半分を覆う腰当て部３と、該腰当て部３の下辺から延設し両足の大腿部上方から足首にかけての夫々の前方半分を夫々覆う一対の足当て部４と、前記胸当て部２の上方辺の両側辺に挿通用孔２ａを穿設し両端を挿通結着させて首の後方を回して装着するための首用装着紐５と、前記腰当て部３の両側に腰部後方で結着するために延設した腰用結着紐６と、前記一対の足当て部４の夫々両側に夫々間隔を有して延設した４組の足用結着紐７とから成り、前記４組の足用結着紐７は、大腿部の上方の後方で結着するための大腿部上方用結着紐７ａと、大腿部の下方の後方で結着するための大腿部下方用結着紐７ｂと、膝部直下の後方で結着するための膝部直下用結着紐７ｃと、足首の後方で結着するための足首用結着紐７ｄと、を備えたことを特徴とするものである。
【実施例】
【０００９】  即ち、本考案の業務用エプロン１は通気性を有する厚手の織布、不織布の生地で逢着したものであって、特に、危険を伴う、雑草等の苅払い機を用いた草刈り作業や、チェーンソーを用いた木の伐採等の農林作業、建造物や大型施設等へのペンキ、さび止め等の塗装作業、壁塗り作業等土木建築作業、大型の工作機械等を用いた金属や木材等の加工作業等の作業服の汚れを防止するのに好適なもので、また、通気が良いことから身体にこもる熱の発散を行うものである。【００１０】  そして、業務用エプロン１の後述する各パーツのサイズの変更は容易なもので、また、夫々の結着紐は調節自在で、身長や体重に合わせて、数通りを備えていれば、殆どの人に汎用できるものである。【００１１】  次に、胸当て部２は、図１に図示するように、人体の首下から腰部にかけての前側に装着する略台形に形成したものであり、上方辺の両側には後述する首用装着紐５を挿通させる挿通用孔２ａを備え、下辺には腰当て部３が延設されるものである。【００１２】  次いで、腰当て部３は、胸当て部２の下辺から延設されたもので、一体のものでも別体のものを逢着したものでも構わないものであり、下辺には後述する一対の足当て部４を延設しており、人体の腰部から大腿部上方の身体の前方半分を覆うもので、両側には後述する腰用結着紐６を延設しているものである。【００１３】  更に、一対の足当て部４は、腰当て部３の下辺から夫々延設されるもので、一体に延設して縦方向に二分割しても別体のものを夫々逢着したものでも構わないものであり、両足の大腿部上方から足首にかけての夫々の足の前方半分を夫々覆うもので、夫々の足当て部４の両側には後述する４組の足用結着紐７を延設しているものである。【００１４】  更には、首用装着紐５は、胸当て部２の両側の上方辺に設けるもので、首の後方を回して胸当て部２を胸に沿って装着するためのもので、実施例では、胸当て部２の両側の上方辺に挿通用孔２ａを金具等を装着し穿設して、予め適宜な長さに調整した首用装着紐５の両端を挿通用孔２ａに挿通させ、首用装着紐５の両端辺を結んで抜けないようにしているものである。【００１５】  加えて、腰用結着紐６は、腰当て部３の上方の両側に延設させているもので、両方の腰用結着紐６を腰部後方で所謂蝶々結び等の手段により結着するものである。【００１６】  そして、足用結着紐７は、一対の足当て部４の夫々両側に夫々間隔を有して延設した４組から成るもので、足の後方で止め金具等を介装して結着するものである。【００１７】  次に、大腿部上方用結着紐７ａは、４組の足用結着紐７の内最上方に備えるもので、大腿部の上方の後方で結着するためのものであり、大腿部下方用結着紐７ｂは、大腿部上方用結着紐７ａから間隔を有して下方の大腿部の下方の後方で結着するためのものであり、更に、膝部直下用結着紐７ｃは、膝関節の直下の後方で結着するためのものであり、足首用結着紐７ｄは、足首の後方で結着するためのものである。【００１８】  本考案の業務用エプロン１は、予め適宜な長さに調整された首用装着紐５と胸当て部２との間に頭を通して装着し、腰用結着紐６を腰部の後方で結着し、次いで、大腿部上方用結着紐７ａを大腿部の上方の後方で結着し、���腿部下方用結着紐７ｂを大腿部の下方の後方で結着し、膝部直下用結着紐７ｃを膝部直下の後方で結着し、足首用結着紐７ｄを足首の後方で結着して業務用エプロン１を身体に装着するものである。
【産業上の利用可能性】
【００１９】  本考案は、一対の足当て部を設けたことと、夫々足当て部の両側に夫々間隔を有して延設した４組の足用結着紐を設け、４組の足用結着紐を上方から、大腿部の上方の後方で結着するための大腿部上方用結着紐と、大腿部の下方の後方で結着するための大腿部下方用結着紐と、膝部直下の後方で結着するための膝部直下用結着紐と、足首の後方で結着するための足首用結着紐とを備えたことにより、一対の足当て部が両足の大腿部、膝関節、下腿部、足首まで確りと結着させることを可能とし、危険を伴い作業においても、引っ掛かったり巻き込まれたりすることが皆無となる業務用エプロンを提供するものである。
【図面の簡単な説明】
【００２０】
【図１】  図１は本考案の業務用エプロンの展開状態の平面図である。
【符号の説明】
【００２１】  １      業務用エプロン
２      胸当て部
２ａ    挿通用孔
【図１】
0003152148.tif 000003